(57)【要約】【課題】使用者の身体のバランスを良くすることができるスポーツ用手袋を提供する。【解決手段】親指を挿入可能に形成された親指袋と、中指を挿入可能に形成された中指袋と、手掌を覆うよう形成された手掌部と、手甲を覆うよう形成された手甲部と、手首を覆うよう構成された手首部と、手首を固定する手首固定部と、を備え、前記手首部の長さは、前記手首部の下端位置から前記中指袋の上端位置までの長さの２５％以上の長さである、スポーツ用手袋スポーツ用手袋を採用する。【選択図】図４
2018099499.tif 000002
【特許請求の範囲】
【請求項１】
親指を挿入可能に形成された親指袋と、
中指を挿入可能に形成された中指袋と、
手掌を覆うよう形成された手掌部と、
手甲を覆うよう形成された手甲部と、
手首を覆うよう構成された手首部と、
手首を固定する手首固定部と、を備え、
前記手首部の長さは、前記手首部の下端位置から前記中指袋の上端位置までの長さの２５％以上の長さである、
スポーツ用手袋。
【請求項２】
前記手首部の長さは、前記手首部の下端位置から前記中指袋の上端位置までの長さの３０％以下の長さである、
請求項１に記載のスポーツ用手袋。
【請求項３】
前記手首部の長さは６２ｍｍ以上である、
請求項１または請求項２に記載のスポーツ用手袋。
【請求項４】
前記手首部の長さは６２ｍｍ以上７２ｍｍ以下である、
請求項１または請求項２に記載のスポーツ用手袋。
【請求項５】
前記手首固定部は、
手首を第１方向に締めつつ固定する第１手首固定部と、
手首を、前記第１方向とは逆の第２方向から、折返穴を介して前記第１方向に締めつつ固定する第２手首固定部と、を有する、
請求項１〜請求項４のいずれか１項に記載のスポーツ用手袋。
【請求項６】
前記手首固定部は、
手首を第１方向に締めつつ固定する第１手首固定部と、
手首を、前記第１方向とは逆の第２方向に締めつつ固定する第２手首固定部と、
手首を前記第１方向に締めつつ固定する第３手首固定部と、を有し、
前記第１手首固定部、前記第２手首固定部、及び前記第３手首固定部が順に配置されており、
前記第１手首固定部と前記第３手首固定部とは、前記第１方向の端部で連結されている、
請求項１〜請求項４のいずれか１項に記載のスポーツ用手袋。
【請求項７】
親指を挿入可能に形成された親指袋と、
手掌を覆うよう形成された手掌部と、
手甲を覆うよう形成された手甲部と、
手首を第１方向に締めつつ固定する第１手首固定部と、
手首を、前記第１方向とは逆の第２方向から、折返穴を介して前記第１方向に締めつつ固定する第２手首固定部と、を備える、
スポーツ用手袋。
【請求項８】
前記第１方向は、橈骨茎状突起から尺骨茎状突起に向かう方向である、
請求項７に記載のスポーツ用手袋。
【請求項９】
手首を前記第１方向に締めつつ固定する第３手首固定部をさらに備え、
前記第１手首固定部、前記第２手首固定部、及び前記第３手首固定部が順に配置されている、
請求項７または請求項８に記載のスポーツ用手袋。
【請求項１０】
手首を、前記第２方向から、折返穴を介して前記第１方向に締めつつ固定する第４手首固定部をさらに備え、
前記第４手首固定部、前記第１手首固定部、及び前記第２手首固定部が順に配置されている、
請求項７または請求項８に記載のスポーツ用手袋。
【請求項１１】
中指を挿入可能に形成された中指袋と、
前記手甲部から前記中指袋にかけて、中指先端側に向かって形成された中指伸長部と、をさらに備える、
請求項７〜請求項１０のいずれか１項に記載のスポーツ用手袋。
【請求項１２】
前記中指伸長部は、前記中指袋及び前記手甲部を形成する素材よりも硬い素材で形成された、
請求項１１に記載のスポーツ用手袋。
【請求項１３】
前記中指伸長部の手首側には、
親指側に向かう親指伸長部と、
小指側に向かう小指伸長部と、
前記親指伸長部と前記小指伸長部との間の中央伸長部と、をさらに有する、
請求項１１または請求項１２に記載のスポーツ用手袋。
【請求項１４】
親指を挿入可能に形成された親指袋と、
手掌を覆うよう形成された手掌部と、
手甲を覆うよう形成された手甲部と、
手首を第１方向に締めつつ固定する第１手首固定部と、
手首を、前記第１方向とは逆の第２方向に締めつつ固定する第２手首固定部と、
手首を前記第１方向に締めつつ固定する第３手首固定部と、を備え、
前記第１手首固定部、前記第２手首固定部、及び前記第３手首固定部が順に配置されており、
前記第１手首固定部と前記第３手首固定部とは、前記第１方向の端部で連結されている、
スポーツ用手袋。
【請求項１５】
前記第１方向は、橈骨茎状突起から尺骨茎状突起に向かう方向である、
請求項１４に記載のスポーツ用手袋。
【発明の詳細な説明】
【技術分野】
【０００１】
本発明の一態様は、野球などのスポーツに用いられる手袋に関する。
【背景技術】
【０００２】
従来、野球などのスポーツに用いられる手袋では、手に持ったバットなどが滑らないようにする滑り止めが主たる機能であった。また、滑り止めに加え、手とバットとのフィット感を良くしたり、バットから手に伝わる衝撃から保護したりする機能を備える手袋もあった。このような手袋は、例えば特許文献１及び特許文献２などに開示されている。
【先行技術文献】
【特許文献】
【０００３】
【特許文献１】国際公開第０１／０２６７５４号パンフレット
【特許文献２】特開２００２−０６５９２８号公報
【発明の概要】
【発明が解決しようとする課題】
【０００４】
しかしながら、上記特許文献１及び特許文献２に記載の手袋を含め、従来のスポーツ用の手袋は使用者の身体のバランスを良くすることについては考えられていなかった。
【課題を解決するための手段】
【０００５】
本発明では、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
親指を挿入可能に形成された親指袋（１１）と、
中指を挿入可能に形成された中指袋（１３）と、
手掌を覆うよう形成された手掌部と、
手甲を覆うよう形成された手甲部（１６）と、
手首を覆うよう構成された手首部（６０）と、
手首を固定する手首固定部と、を備え、
前記手首部（６０）の長さを、前記手首部の下端位置から前記中指袋の上端位置までの長さの２５％以上の長さとする、スポーツ用手袋である。
【０００７】
上記構成のスポーツ用手袋では、従来のスポーツ用手袋と比較して長い範囲で手首部分を固定することができ、使用者の手首を安定させることができる。これにより、使用者が野球のスイングなどの動作をスムーズに行うことを可能にすることができる。
【０００８】
上記のスポーツ用手袋において、好ましくは、
前記手首部（６０）の長さを、前記手首部の下端位置から前記中指袋の上端位置までの長さの３０％以下の長さとする。
【０００９】
上記構成のスポーツ用手袋では、使用者の手首を安定させるのに十分な長さで手首を固定する構成とすることができる。
【００１０】
上記のスポーツ用手袋において、好ましくは、
前記手首部（６０）の長さを６２ｍｍ以上７２ｍｍ以上とする。
【００１１】
上記構成のスポーツ用手袋では、使用者の手首を安定させるのに必要十分な長さで手首を固定する構成とすることができる。
【００１２】
上記のスポーツ用手袋において、好ましくは、
前記手首固定部（６０）は、
手首を第１方向に締めつつ固定する第１手首固定部（４１、５１）と、
手首を、前記第１方向とは逆の第２方向から、折返穴（４２１）を介して前記第１方向に締めつつ固定する第２手首固定部（４２、４２１、５２）と、を有する。
【００１３】
上記構成のスポーツ用手袋によれば、使用者の手首を十分な長さかつ十分な強さで安定的に固定することができる。
【００１４】
上記のスポーツ用手袋において、好ましくは、
前記手首固定部（６０）は、
手首を第１方向に締めつつ固定する第１手首固定部（４５、５５）と、
手首を、前記第１方向とは逆の第２方向に締めつつ固定する第２手首固定部（４６、５６）と、
手首を前記第１方向に締めつつ固定する第３手首固定部（４７、５７）と、を有し、
前記第１手首固定部、前記第２手首固定部、及び前記第３手首固定部が順に配置されており、
前記第１手首固定部と前記第３手首固定部とは、前記第１方向の端部（４８）で連結されている。
【００１５】
上記構成のスポーツ用手袋によれば、使用者の手首を十分な長さかつ十分な強さで安定的に固定することができる。さらに、使用者が装着しやすい構成にすることができる。
【００１６】
本発明の他の手段は、
親指を挿入可能に形成された親指袋（１１）と、
手掌を覆うよう形成された手掌部と、
手甲を覆うよう形成された手甲部（１６）と、
手首を第１方向に締めつつ固定する第１手首固定部（４１、５１）と、
手首を、前記第１方向とは逆の第２方向から、折返穴（４２１）を介して前記第１方向に締めつつ固定する第２手首固定部（４２、４２１、５２）と、を備える、
スポーツ用手袋である。
【００１７】
上記構成のスポーツ用手袋では、手首を２方向から締めて固定する構成にしているため、手首をより安定させることができる。これにより、使用者が、野球のスイングなどの動作をよりスムーズに行うことを可能にすることができる。
【００１８】
上記のスポーツ用手袋において、好ましくは、
前記第１方向は、橈骨茎状突起から尺骨茎状突起に向かう方向である。
【００１９】
上記構成のスポーツ用手袋によれば、手首をより安定的に固定することができる。
【００２０】
上記のスポーツ用手袋において、好ましくは、
手首を第１方向に締めつつ固定する第３手首固定部（４３、５３）をさらに備え、
前記第１手首固定部（４１、５１）、前記第２手首固定部（４２、４２１、５２）、及び前記第３手首固定部（４３、５３）が順に配置されている、
【００２１】
上記構成のスポーツ用手袋によれば、手首をさらに安定的に固定することができる。
【００２２】
上記のスポーツ用手袋において、好ましくは、
手首を、前記第２方向から、折返穴を介して前記第１方向に締めつつ固定する第４手首固定部をさらに備え、
前記第４手首固定部、前記第１手首固定部、及び前記第２手首固定部が順に配置されている。
【００２３】
上記構成のスポーツ用手袋によれば、手首をさらに安定的に固定することができる。
【００２４】
上記のスポーツ用手袋において、好ましくは、
中指を挿入可能に形成された中指袋（１３）と、
前記手甲部から前記中指袋にかけて、中指先端側に向かって形成された中指伸長部（２１）と、をさらに備える。
【００２５】
上記構成のスポーツ用手袋によれば、中指伸長部により中指の無駄な動きを抑制しながら中指を支持することができる。これにより、使用者の身体全体の無駄な動きを抑制してバランスを良くすることができ、使用者が身体を自然に動かしやすくすることが可能となる。
【００２６】
上記のスポーツ用手袋において、好ましくは、
前記中指伸長部（２１）は、前記中指袋及び前記手甲部を形成する素材よりも硬い素材で形成される。
【００２７】
上記構成のスポーツ用手袋によれば、中指をより強力に支持することができるため、使用者の身体全体の無駄な動きをより効果的に抑制することができる。これにより、使用者が、身体をより自然に動かすことが可能となる。
【００２８】
上記のスポーツ用手袋において、好ましくは、
前記中指伸長部の手首側には、
親指側に向かう親指伸長部（２２）と、
小指側に向かう小指伸長部（２４）と、
前記親指伸長部と前記小指伸長部との間の中央伸長部（２３）と、をさらに有する。
【００２９】
上記構成のスポーツ用手袋によれば、中指伸長部を親指伸長部、小指伸長部、及び中央伸長部により支持する構成としているため、中指に加え、手の全体の無駄な動きを適度に抑制することが可能となる。
【００３０】
本発明の他の手段は、
親指を挿入可能に形成された親指袋（１１）と、
手掌を覆うよう形成された手掌部（１７）と、
手甲を覆うよう形成された手甲部（１６）と、
手首を第１方向に締めつつ固定する第１手首固定部（４５）と、
手首を、前記第１方向とは逆の第２方向に締めつつ固定する第２手首固定部（４６）と、
手首を前記第１方向に締めつつ固定する第３手首固定部（４７）と、を備え、
前記第１手首固定部、前記第２手首固定部、及び前記第３手首固定部が順に配置されており、
前記第１手首固定部と前記第３手首固定部とは、前記第１方向の端部（４８）で連結されている、
スポーツ用手袋である。
【００３１】
上記構成のスポーツ用手袋では、手首を安定的に固定可能な構成にしているため、手首をより安定させることができる。これにより、使用者が、野球のスイングなどの動作をよりスムーズに行うことを可能にすることができる。また、第１手首固定部と第３手首固定部とが連結されているため、使用者が装着しやすい構成にすることができる。
【図面の簡単な説明】
【００３２】
【図１】野球用手袋を手甲側から見た図である。
【図２】野球用手袋を親指側から見た斜視図である。
【図３】手首固定部の拡大図である。
【図４】野球用手袋の平面図である。
【図５】野球用手袋のサイズを示す表である。
【図６】変形例の野球用手袋を手甲側から見た図である。
【図７】変形例の野球用手袋を手掌側から見た図である。
【発明を実施するための形態】
【００３３】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
３．補足事項
【００３４】
＜１．実施形態＞
本実施形態の野球用手袋は、使用者の手の動き（特に中指の動きと手首の動き）を適度に抑制し、これによって使用者の身体全体のバランスを良くすることを可能にしている。中でも、使用者の手首の動きを抑制するようにした、手首部分の構成に特徴が有る。これにより、使用者のバットのスイングなどをスムーズにすることなどが可能となる。なお、以下の実施形態では野球用の手袋を例に挙げて説明しているが、本実施形態の野球用手袋は野球用に限らず、ソフトボールまたはゴルフなどの他のスポーツにも利用可能である。
【００３５】
なお、本明細書において、「橈骨」とは腕の親指側の骨であり、「尺骨」とは腕の小指側の骨である。「橈骨茎状突起」とは、橈骨の手首位置にある骨の突起部分であり、「尺骨茎状突起」とは、尺骨の手首位置にある骨の突起部分である。また、指の伸びる方向を指して「縦方向」と称し、縦方向に対して水平な方向であって、手甲を横切る方向を「横方向」と称する。また、「手首位置」とは、橈骨手根間接において、手甲の幅方向の中央部近傍の位置を指す。
【００３６】
図１は、本実施形態の野球用手袋１を手甲側から見た外観を示す図である。図２は、野球用手袋１を親指側から見た外観斜視図である。図３は、野球用手袋１の手首固定部を含む手首部分の拡大図である。図４は、野球用手袋１を手甲側から見た平面図である。
【００３７】
野球用手袋１は、親指袋１１、人差指袋１２、中指袋１３、薬指袋１４、小指袋１５、手甲部１６、手掌部（図示せず）、手甲側手首部６１、手掌側手首部６２を含む。手甲側手首部６１と手掌側手首部６２とを総称して「手首部６０」と呼ぶことがある。使用者は、手首部６０から手を挿入し、親指袋１１、人差指袋１２、中指袋１３、薬指袋１４、及び小指袋１５にそれぞれの指を挿入し、手首部６０により手首を固定して使用する。
【００３８】
親指袋１１、人差指袋１２、中指袋１３、薬指袋１４、及び小指袋１５には、使用者が装着したときに、それぞれ親指、人差指、中指、薬指、及び小指が挿入される。人差指袋１２、薬指袋１４、及び小指袋１５の指先部分には、指先部１２１、１４１、及び１５１がそれぞれ取り付けられている。中指袋１３の指先部分には、指先部は取り付けられない。なお、後述の図４に示されるように、中指袋１３の指先部分に指先部１３１が取り付けられてもよい。
【００３９】
中指袋１３には、指先から１〜２ｃｍほど指の付け根に下がった位置から指の付け根を超えて手甲の中心付近に向かって、中指伸長部２１が取り付けられている。中指伸長部２１は、手甲部１６を構成する素材よりも硬い素材で形成される。中指伸長部２１は、手甲の中心辺りまで１本で伸びており、手甲の中心辺りからは、親指伸長部２２、中央伸長部２３、及び小指伸長部２４の３本に分離して伸びる。親指伸長部２２は、手甲の中心辺りから親指の付け根辺りに向かって伸びる。小指伸長部２４は、小指の付け根と橈骨茎状突起との中点近傍に向かって伸びる。中央伸長部２３は、中指伸長部２１からそのまま手首側に向かって伸びる。親指伸長部２２、中央伸長部２３、及び小指伸長部２４は、中指伸長部２１と同じ素材で、一体的に形成される。
【００４０】
図３に示されるように、野球用手袋１の手首部６０には、手甲側（背側ともいわれる）に手甲側手首部６１、手掌側（腹側ともいわれる）に手掌側手首部６２がある。手首部６０は、前腕（肘から手首までの部分）の１／３程度の長さに形成されている。手甲側手首部６１と手掌側手首部６２とは、小指側（尺骨側）で連結されて一体になっており、親指側（橈骨側）では分離されている。
【００４１】
手甲側手首部６１には、横方向に伸びる３本の第１面ファスナーメス面５１〜第３面ファスナーメス面５３が固定されて取り付けられている。３本の面ファスナーメス面の真ん中に位置する第２面ファスナーメス面５２からは、第２面ファスナーオス面４２が第１方向に伸びている。第２面ファスナーオス面４２は、第２面ファスナーメス面５２に対して、折返穴４２１の位置で折り曲げられた可動部分である。装着状態において、第２面ファスナーオス面４２は第２面ファスナーメス面５２に貼り付けられる。
【００４２】
手掌側手首部６２の、第１面ファスナーメス面５１及び第３面ファスナーメス面５３に対向する位置には、第１面ファスナーオス面４１及び第３面ファスナーオス面４３が取り付けられている。第１面ファスナーオス面４１及び第２面ファスナーオス面４３は、手掌側手首部６２から、第１方向とは逆の第２方向に伸びている（図２参照）。装着状態において、第１面ファスナーオス面４１は第１面ファスナーメス面５１に、第３面ファスナーオス面４３は第３面ファスナーメス面５３に、それぞれ貼り付けられる。
【００４３】
また、手掌側手首部６２の端部（手掌側手首部６２と手甲側手首部６１との間）であって、第１面ファスナーオス面４１と第３面ファスナーオス面４３との間には、樹脂で形成された折返穴４２１が取り付けられている。取り付け状態において、折返穴４２１には第２面ファスナーオス面４２が挿入される。
【００４４】
なお、本発明では、面ファスナーメス面と面ファスナーオス面とを組み合わせた構成を指して、「手首固定部」と称する。例えば、第１面ファスナーオス面４１と第１面ファスナーメス面５１との組み合わせは、本発明における第１手首固定部の一例である。第２面ファスナーオス面４２と第２面ファスナーメス面５２との組み合わせは、本発明における第２手首固定部の一例である。第３面ファスナーオス面４３と第３面ファスナーメス面５３との組み合わせは、本発明における第３手首固定部の一例である。
【００４５】
上記の各面ファスナーは、面ファスナー以外の、取付位置を調整しながら繰り返し着脱することが可能な固定具に置き換えられてもよい。また、上記の各面ファスナーのオス面とメス面とは逆であってもよい。
【００４６】
野球用手袋１のサイズは、具体的には図４及び図５のようになる。図４に示される総丈Ａ、甲幅Ｂ、及び手首部６０の丈Ｃは、それぞれ図５に記載されている。特に、手首部６０の丈は、６２ｍｍ〜７２ｍｍとなっており、総丈Ａに対する手首部６０の丈Ｃは、２７．４％以上２７．６％となっている。ここでは、手首部６０の丈（長さ）を総丈の２７．４％以上２７．６％以下としているが、手首部６０の丈（長さ）を総丈の２５％以上にすれば、使用者の手首部を安定的に固定するのに必要な長さとなる。また、手首部６０の丈（長さ）を総丈の３０％以下にすれば、使用者の手首部を安定的に固定するのに十分な長さとなる。長さを基準にみると、手首部６０の丈（長さ）を６２ｍｍ以上にすれば、使用者の手首部を安定的に固定するのに必要な長さとなる。また、手首部６０の丈（長さ）を７２ｍｍ以下にすれば、使用者の手首部を安定的に固定するのに十分な長さとなる。
【００４７】
なお、手首部６０の丈は、総丈の３０％より長く形成したとしても、使用者の肘の位置まで延びない限り、使用者の動作に悪影響を与えずに使用者の手首位置を安定的に固定することができる。つまり、手首部６０の丈は、総丈の２５％以上であって、手首部６０の下端が肘より手首側の位置となるよう設計すればよい。
【００４８】
従来のスポーツ用手袋では、体を安定させるために手首を固定するという考えがなかったため、本実施形態のように比較的長い範囲で使用者の手首を固定するような構成にはなっていなかった。これに対して、本実施形態の手袋では、使用者の手首を必要十分な範囲で固定するため、上記のようなサイズを採用している。
【００４９】
使用者が野球用手袋１を装着する際には、手首部６０から手を挿入し、各指を対応する指袋１１〜１５に挿入する。そして、第１面ファスナーオス面４１〜第３面ファスナーオス面４３を面ファスナーメス面５１〜５３に固定する。このとき、第２面ファスナーオス面４２は、尺骨茎状突起側（小指側）から橈骨茎状突起側（親指側）に向かって折返穴４２１を通り、さらに橈骨茎状突起側（親指側）から尺骨茎状突起側（小指側）に向かって面ファスナーメス面５２に固定される。これによって、第１面ファスナーオス面４１及び第３面ファスナーオス面４３は親指側から小指側に引っ張りながら手首を固定し、第２面ファスナーオス面４２は、小指側から親指側に引っ張り、さらに親指側から小指側に締めつつ固定する状態となる。このように手首を固定することで、一方向のみからではなく、２方向から手首を固定する状態となり、より強固に手首を固定することができる。
【００５０】
上記のように使用者の手首を固定することで、手首を安定させることができ、使用者が、野球のスイングなどの動作をスムーズに行うことができるようになる。なお、本実施形態では、第１面ファスナーオス面４１、第２面ファスナーオス面４２、第３面ファスナーオス面４３の順に配置された構成で手首を固定していたが、このような固定方法に限定されるものではない。例えば、第１面ファスナーオス面４１及び第２面ファスナーオス面４２のみの（第３面ファスナーオス面４３を有しない）構成であってもよい。
【００５１】
また、例えば、第１面ファスナーオス面４１、第１面ファスナーメス面５１、第２面ファスナーオス面４２及び第２面ファスナーメス面５２に加え、第２面ファスナーオス面４２及び第２面ファスナーメス面５２と同様の構成の第４面ファスナーオス面及び第４面ファスナーメス面のセット（図示せず）が設けられても良い。この場合、第２面ファスナーオス面４２とともに第１面ファスナーオス面４１を挟む位置に第４面ファスナーオス面が設けられ、第２面ファスナーメス面５２とともに第１面ファスナーメス面５１を挟む位置に第４面ファスナーメス面が設けられ、さらに折返穴が設けられる。これらの場合であっても一定の効果が得られる。
【００５２】
また、本実施形態の野球用手袋１の構成に代えて、手首部分を、横方向の一方向と、その逆の他方向から締めるように構成しても良い。このような構成であっても、手首を固定する一定の効果が得られる。
【００５３】
また、野球用手袋１のように中指伸長部を設けることで、中指の無駄な動きを抑制しながら中指を支持することができる。これにより、中指や腕のみでなく、使用者の身体全体の無駄な動作を抑制することができる。ひいては、使用者が身体を自然に動かすことを可能とし、野球のスイングなどの動作をスムーズに行うことを可能にする。
【００５４】
＜２．変形例＞
次に、上記実施形態の変形例について説明する。本変形例では、上記実施形態と比較して、使用者の手首を従来よりも広い（長い）は範囲で固定するという目的は同一であるが、手首部６０の具体的な構成が異なっている。以下、本変形例の野球用手袋について具体的に説明する。
【００５５】
図６及び図７は、本変形例の野球用手袋１を示す図であって、図６は手甲側から見た図、図７は手掌側から見た図である。図６及び図７は、いずれも装着された状態を示している。
【００５６】
図６及び図７に示されるように、本変形例の手首部６０は、手甲側手首部６１と、手掌側手首部６２とを含む。手甲側手首部６１には、横方向に伸びる３本の面ファスナーオス面が取り付けられる。第５面ファスナーオス面４５は、固定部７５から第１方向に直線状に伸びている。第６面ファスナーオス面４６は、固定部７６から、第１方向とは逆の第２方向に直線状に伸びている。第７面ファスナーオス面４７は、固定部７７から第１方向に直線状に伸びている。第５面ファスナーオス面４５の第１方向の端部と、第７面ファスナーオス面４７の第１方向の端部とは、連結部面ファスナーオス面４８によって縦方向に連結される。
【００５７】
手首部６０において、第５面ファスナーオス面４５、第６面ファスナーオス面４６、第７面ファスナーオス面４７、及び連結部面ファスナーオス面４８に対向する位置には、それぞれ第５面ファスナーメス面、第６面ファスナーメス面、第７面ファスナーメス面、及び連結部面ファスナーメス面が固定されて取り付けられている。装着状態では、第５面ファスナーオス面４５は、第５面ファスナーメス面に貼り付けられ、第６面ファスナーオス面４６は、第６面ファスナーメス面に貼り付けられ、第７面ファスナーオス面４７は、第７面ファスナーメス面に貼り付けられ、連結部面ファスナーオス面４８は、連結部面ファスナーメス面に貼り付けられる。
【００５８】
図６に示されるように、中指袋１３には、実施形態の中指伸長部２１とは異なる、第１中指伸長部２１ａ及び第２中指伸長部２１ｂが取り付けられている。第１中指伸長部２１ａ及び第２中指伸長部２１ｂは、使用者の中指の第２関節近傍で不連続となる箇所があり、不連続箇所の下側（手首側）が第１中指伸長部２１ａ、上側（指先側）が第２中指伸長部２１ｂとなっている。第２中指伸長部２１ｂは、親指伸長部２２ａ及び小指伸長部２４ａと接する位置から指先に向かって伸びるよう配置されている。
【００５９】
親指伸長部２２ａは、実施形態と同様に、手甲の中心辺りであって、人差指と中指との間の付け根から３０ｍｍ程手首側の位置から、親指の付け根辺りに向かって伸びる。親指伸長部２２ａは、実施形態と同様に、手甲の中心辺りであって、人差指と中指との間の付け根から３０ｍｍ程手首側の位置から、小指の付け根と橈骨茎状突起との中点近傍に向かって伸びる。
【００６０】
本変形例では、このように中指袋１３の手甲側に指先に向かって伸びて配置され、中指の第２関節近傍で不連続となっている第１中指伸長部２１ａ及び第２中指伸長部２１ｂを有する構成としているため、使用者の中指の動きをスムーズに維持することができる。ひいては、使用者の動きをスムーズにすることができる。
【００６１】
本変形例の野球用手袋１の手首部６０では、手首を第１方向に締めつつ固定する第５面ファスナーオス面４５及び第５面ファスナーメス面（第１手首固定部）と、手首を第１方向とは逆の第２方向に締めつつ固定する第６面ファスナーオス面４６及び第６面ファスナーメス面（第２手首固定部）と、手首を第１方向に締めつつ固定する第７面ファスナーオス面４７及び第７面ファスナーメス面（第３手首固定部）とを備え、第５面ファスナーオス面４５（第１手首固定部）と第７面ファスナーオス面４７（第３手首固定部）とが第１方向の端部で連結部面ファスナーオス面４８によって連結されている構成としている。この構成の野球用手袋によれば、使用者が手首部６０における手首の固定を行いやすい構成にすることができる。
【００６２】
＜３．補足事項＞
以上、本発明の野球用の手袋の一例についての具体的な説明を行った。上記説明では、あくまで一実施形態としての説明であって、本発明の範囲はこの一実施形態に留まらず、当業者が把握可能な範囲にまで広く解釈されるものである。
【００６３】
上記実施形態では、左手用の手袋についてのみ説明したが、野球用手袋１は、右手用の手袋としても利用可能である。
【００６４】
上記実施形態の野球用手袋１は、いくつかの特徴を有しているが、これらの特徴は個別の特徴部分として利用されても良い。
【産業上の利用可能性】
【００６５】
本発明は、野球用またはその他のスポーツ用の手袋として有用である。
【符号の説明】
【００６６】
１…手袋
１１…親指袋
１２…人差指袋
１３…中指袋
１４…薬指袋
１５…小指袋
１２１〜１５１…指先部
１６…手甲部
１７…手掌部
２１…中指伸長部
２２…親指伸長部
２３…中央伸長部
２４…小指伸長部
４１〜４８…面ファスナーオス面
４２１…折返穴
５１〜５８…面ファスナーメス面
６０…手首部
６１…手甲側手首部
６２…手掌側手首部
７５〜７７…固定部
【図１】
2018099499.tif 000003
【図２】
2018099499.tif 000004
【図３】
2018099499.tif 000005
【図４】
2018099499.tif 000006
【図５】
2018099499.tif 000007
【図６】
2018099499.tif 000008
【図７】
2018099499.tif 000009